(57)【要約】      （修正有）【課題】放射性物質による自己発光素材を使用せず、放射性物質と同等以上の発光性を有し、低コストである銃の照準器を提供する。【解決手段】凸部１ａで照準する照星１、または左右に凸部２ａを有し、その間の凹溝２ｂで照準する照門２であって、凸部の後面中央に蓄光性を有する発光体３，４を設けた。発光体は蓄光材を含有する合成樹脂を細長い棒状に成形し、その一端が後面中央に露出するように凸部に埋め込む。また、発光体は、照星と照門で発色を異にすることができる。さらに、凸部の上面に発光体に通ずる採光孔５を設けることもある。【選択図】図２
0003190948.tif 000002
【実用新案登録請求の範囲】
【請求項１】
凸部で照準する照星であって、前記凸部の後面中央に蓄光性を有する発光体を設けたことを特徴とする照準器。
【請求項２】
左右に凸部を有し、その間の凹溝で照準する照門であって、前記左右の凸部それぞれの後面中央に蓄光性を有する発光体を設けたことを特徴とする照準器。
【請求項３】
請求項１記載の照星と請求項２記載の照門との組合せからなることを特徴とした照準器。
【請求項４】
照星の発光体と照門の発光体との発色を異にした請求項３記載の照準器。
【請求項５】
発光体は蓄光材を含有する合成樹脂を細長い棒状に成形し、その一端が後面中央に露出するように凸部に埋め込んでなる請求項１から４のうち何れか一項記載の照準器。
【請求項６】
凸部の上面に発光体に通ずる採光孔を設けた請求項５記載の照準器。
【請求項７】
蓄光材はアルミン酸塩化合物である請求項５または６記載の照準器。
【請求項８】
銃に着脱可能である請求項１〜７のうち何れか一項記載の照準器。
【請求項９】
請求項１から８のうち何れか一項記載の照準器を備えた銃。
【考案の詳細な説明】
【技術分野】
【０００１】
この考案は、蓄光性を有する照準器と、これを備えた銃に関するものである。
【背景技術】
【０００２】
銃には照準器が取付けられるが、特にアイアンサイト（Ｉｒｏｎ  ｓｉｇｈｔ）の場合、夜間や地下・洞窟などの暗い場所では、照準器そのものの視認が困難となり、照準を合わせにくい。
【０００３】
この問題を解決するために、発光機能を持たせた照準器が提案されるようになった（特許文献１〜７）。特許文献１〜４のものはアクリル樹脂によって発光部を構成しているが、自然採光によってアクリル樹脂を発光させるものであるから、結局、暗い場所では十分に機能しない。
【０００４】
一方、特許文献５〜７のものは、光源としてＬＥＤ（発光素子）を使用するが、電源や配線を設ける必要があり、銃の構造が複雑化する。
【０００５】
そこで、本出願人は、自発光性を有する照準器を提供している（非特許文献１）。この照準器は、光源として自己発光するトリチウムを用いているため、特許文献１〜７のような問題がない。
【先行技術文献】
【特許文献】
【０００６】
【特許文献１】実開昭５２−１０２７４１号公報
【特許文献２】実公昭６０−１４１６０号公報
【特許文献３】特開平８−１３６１９２号公報
【特許文献４】特表平１０−５０９７９１号公報
【特許文献５】実開平３−１２１３８４号公報
【特許文献６】実開平４−３２９１号公報
【特許文献７】実公平７−４０８７５号公報
【非特許文献】
【０００７】
【非特許文献１】「ＬＡＹＬＡＸ  ＰＲＯＤＵＣＴ  ＣＡＴＡＬＯＧ」、有限会社ライラクス、２０１３年３月１０日、ｐ２、ｐ１２−１４
【考案の概要】
【考案が解決しようとする課題】
【０００８】
しかしながら、非特許文献１の照準器で用いているトリチウムは放射性物質であり、実際は、使用量は微量であり、しかも、カプセル等に封入したものを用いるため、使用中、直ちに人体や環境に影響を及ぼすものではないが、製造や廃棄処理には厳重な管理が必要であり、できるだけ使用を控えることが望ましい。
【０００９】
また、非特許文献１の照準器は特許文献１〜７の発光手段に比べて、コストが極めて高くつくという問題もある。
【００１０】
本考案は上述した課題を解決するためになされたもので、その目的とするところは、放射性物質による自己発光素材を使用せず、当該放射性物質と同等以上の自発光性を有して特許文献１〜７の問題を解消し、しかも、低コストで提供することができる照準器を開示することである。
【課題を解決するための手段】
【００１１】
上述した目的を達成するために本考案では、アイアンサイトに属する照星（フロントサイト）と照門（リアサイト）に関して、次のような手段を用いた。即ち、凸部で照準する照星にあっては、前記凸部の後面中央に蓄光性を有する発光体を設けた。一方、左右に凸部を有し、その間の凹溝で照準する照門にあっては、前記左右の凸部それぞれの後面中央に蓄光性を有する発光体を設けた。
【００１２】
上述した手段によれば、使用前に、一定時間、発光体に光を照射しておけば、その蓄光性により、全く光がない場所でも残光が得られ、照準が可能となる。また、発光体は凸部の後面に設けるため、その光は射撃手からしか見えず、前方に居る標的に察知されることもない。さらに、中央に設けるため、正確な照準が可能となる。
【００１３】
本考案において照星は単独で使用することができるが、照星と照門とを組み合わせるほうが照準精度が高くなる。この場合、照星の発光体は「赤」、照門の発光体は「緑」というように、照星と照門とで発光体の発色を異にすることで、照星と照門の関係が明確となり、短時間で照準に集中することができるようになる。
【００１４】
発光体は蓄光塗料を塗布したり、円形シール状のものを貼り付けて構成することもできるが、これらの場合、発光体の厚みが薄くなり、使用中に剥がれるおそれがあるうえ、十分な発光機能を得難い。つまり、蓄光性を有する発光体は、蓄光材の含有量が多いほど、輝度が高く、また、長時間、発光（残光）する性質を有する。そこで、本考案では、発光体は蓄光材を含有する合成樹脂を細長い棒状に成形し、その一端が後面中央に露出するように凸部に埋め込むという手段を用いる。この手段によれば、発光体が長さ（奥行き）を有する分、塗膜やシール状のものよりも蓄光材の含有量を多くでき、高い輝度と、長時間の残光性を得ることができる。しかも、棒状発光体を凸部に埋め込むので、剥がれが生じることもない。また、発光体は、その一端のみが凸部後面から露出し、他端は凸部に埋め込まれ、銃の先端側からは発光体の光が漏れないので、前方に居る標的に察知されることがない。なお、発光体を埋め込む際、その一端は凸部後面と面一であればよいが、一端が若干奥まっていたり、若干飛び出ていてもよい。
【００１５】
上述のように発光体を棒状とし、これを埋め込んだ場合、光が当たる面積が小さくなり、蓄光に時間がかかる。このため、本考案では、凸部の上面に発光体に通ずる蓄光用の採光孔を設けるという手段を用いた。したがって、発光体に対して、凸部後面の露出部（照準時に視認する部分）と、採光孔との二箇所から光が当たることになるため、蓄光に必要な光の照射量を多くすることができる。なお、使用中、採光孔を真上から覗き込めば発光体の光が見えるが、前方や左右に居る標的からは発光体の光は見えないし、銃の真上に標的が居ることは皆無であるため、採光孔によって標的に察知される機会はない。
【００１６】
ところで、発光体の素材となる蓄光材は、光を吸収（蓄光）し、発光（残光）する夜光性の素材であるが、既に公知のものを採用することができ、いずれも人体や環境に悪影響を及ぼすものではない。そして、現在公知の蓄光材のうち、硫化亜鉛型（ＺｎＳ：Ｃｕ）が古くに提供されているが、このタイプの蓄光材は輝度が小さいのみならず、残光時間も比較的短いことが知られ、一方、その後提供されたアルミン酸塩化合物からなる蓄光材は、硫化亜鉛型の約１０倍の輝度と残光時間を持つことも知られている。このため、本考案に使用する蓄光材は、輝度・残光時間ともに優れたアルミン酸塩化合物であることが好ましい。
【００１７】
上述した照準器は、銃と一体に製造し、銃として実施することも可能であるが、照準器を付け替えることができる銃に対して着脱可能に構成することが好ましい。
【００１８】
なお、本考案において銃とは、拳銃、短銃、ライフル銃、機関銃、空気銃、玩具銃を含む概念であり、ここに列挙したもの以外でも、アイアンサイト型の照準器を装備するものは本考案の対象となる。
【考案の効果】
【００１９】
本考案によれば、照準器の発光手段として蓄光性を有する発光体を用いたので、使用中、電源や光源を一切必要とせず、発光体による光によって照準することができる。また、使用する蓄光性発光体は、放射性物質を含まないため、人体や環境に悪影響を及ぼすことがなく、安全である。さらに、放射性物質による自発光体よりも低コストで発光性照準器を提供することができる。
【図面の簡単な説明】
【００２０】
【図１】本考案の一実施形態を示す銃の概要図
【図２】同、照星と照門の要部を示す詳細図
【考案を実施するための形態】
【００２１】
以下、本考案の好ましい実施の形態を添付した図面に従って説明する。図１は本考案の一実施形態を示す銃であり、銃身の前方には照星（フロントサイト）１、後方には照門（リアサイト）２を装備している。照星１は、銃身の長手方向に長さを有し、銃身上面から一定高さ立ち上がる鶏冠状の凸部１ａを有する。この凸部１ａは照準する際の基準となるもので、後方から見て標的と一致するように銃を構える。そして、照星１の凸部１ａの後面中央には発光体３を設けている。
【００２２】
一方、照門２は、照星１の凸部１ａと同じ高さの凸部２ａを左右一対に備え、その間の凹溝２ｂによって照準するものである。つまり、照門２は、通常、照星１と対で使用し、後方から見て、凹溝２ｂに照星１が位置するように照準を合わせる。そして、このような照準機能を有する照門２について、その左右の凸部２ａの後面中央それぞれには、発光体４を設けている。
【００２３】
これら照星１・照門２における発光体３・４は、何れも蓄光性を有する。具体的には、蓄光材を合成樹脂と混ぜ合わせてなり、この実施形態の場合、図２に示したように、前記混合物を直径２ｍｍ前後の細長い丸棒状に成形し、これを凸部１ａ・２ａに後面から前方に向かって埋め込んでいる。
【００２４】
このように埋め込まれた発光体３・４は、その一端が凸部１ａ・２ａの後面に露出することになり、この円形の露出部分が光り、暗闇での照準を可能とする。
【００２５】
なお、照準の仕方は従来と変わるところがないが、この実施形態では、照星１と照門２とで発光体３・４の発色を異にしている。例えば、照星１の発光体３は赤、照門２の発光体４は緑に発色するように、その色に応じた蓄光材や合成樹脂を選択する。このように、照星１と照門２の発色を異にすることで、どの光が照門１であるか照星２であるかの識別が可能となり、暗闇において、照星１と照門２の関係が明確になって、短時間で照準することができるようになる。ただし、本考案においては、発光体３・４は同色に発色させるように構成することを排除するものではない。この場合でも、発光体３・４の露出一端の形状を異にしたり、大きさを異にすることによって、照星１と照門２の関係を明確にすることができる。
【００２６】
さらに、本実施形態では、使用前における発光体３・４の蓄光効率を高めるために、凸部１ａ・２ａの上面に発光体３・４に通じる採光孔５を設けている。これによって、発光体３・４は、凸部１ａ・２ｂの後面露出部（発光部）からだけでなく、採光孔５から取り込まれる光によっても蓄光が可能となる。したがって、発光体３・４に対する光の照射量が多くなり、蓄光効率を高めることができる。
【００２７】
さらにまた、発光体３・４の輝度と残光時間を向上させるために、蓄光材としてアルミン酸塩化合物を採用した。アルミン酸塩化合物の蓄光材は、最も代表的には、ネモト・ルミマテリアル社製のＮ夜光（ルミノーバ）（登録商標）がある。
【００２８】
なお、上記実施形態では、照星１と照門２の組合せによって銃の照準器を構成したが、照星１のみで照準器を構成することも可能である。また、照星１と照門２は、それぞれの凸部１ａ・２ａを銃身の製造時に一体に成型し、その後、発光体３・４を設け、銃として実施する可能であるが、発光体３・４を設けた照星１・照門２それぞれを単品として製造することも本考案の実施形態に含まれる。即ち、照門１と照門２をそれぞれパーツとして用意すれば、照準器が付け替え可能な銃に装備することで、使用者の好みに応じて銃をカスタマイズすることができるようになる。即ち、図２において、１ｂや２ｃは、照星１・照門２を銃の対応箇所に着脱可能に装着する座である。
【符号の説明】
【００２９】
１  照星
２  照門
１ａ・２ａ  凸部
３・４  発光体
５  採光孔
【図１】
0003190948.tif 000003
【図２】
0003190948.tif 000004